(57)【要約】【課題】マブタ用テープより台紙を剥がす際に細かい作業を必要とせず、不用意に台紙を折り曲げたり破ることなく綺麗に剥がせ、マブタに貼付する場合も簡単且つ短時間に行い得るマブタ貼付用粘着テープ又はシートを提供することである。【解決手段】離型処理された台紙(1)、両面粘着性の皮膚貼付材(2)及び台紙(3)を含む部材が積層されており、該台紙(1)及び該台紙(3)の長さが、該皮膚貼付材(2)より長い形状とすることによる。また、台紙(1)、皮膚貼付材(2)及び台紙(3)が打ち抜き加工され、少なくとも台紙(1)の端部が打ち抜かれていないことを特徴とするマブタ貼付用粘着テープ又はシートによる。【選択図】図３
2007097661.tif 000002
【特許請求の範囲】
【請求項１】
離型処理された台紙(1)に、両面粘着性の皮膚貼付材(2)の片面の粘着剤露出部分が積層貼り合わされ、前記積層された皮膚貼付材(2)の上部に片面粘着性の台紙(3)が積層されており、該台紙(1)及び該台紙(3)が、皮膚貼付材(2)より長い形状であることを特徴とするマブタ貼付用粘着テープ又はシート。
【請求項２】
前記台紙(1)が、前記台紙(3)より長い形状である請求項１に記載のマブタ貼付用粘着テープ又はシート。
【請求項３】
前記皮膚貼付材(2)と片面粘着性の台紙(3)の間に離型処理部材(7)が積層されている請求項１又は２に記載のマブタ貼付用粘着テープ又はシート。
【請求項４】
前記台紙(1)、皮膚貼付材(2)及び台紙(3)が打ち抜き加工され、少なくとも該台紙(1)の端部が打ち抜かれていないことを特徴とする請求項１〜３のいずれか一に記載のマブタ貼付用粘着テープ又はシート。
【発明の詳細な説明】
【技術分野】
【０００１】
本発明は、短時間で容易にかつ綺麗にマブタに皮膚貼付材を貼り付けることができる二重マブタ形成用のマブタ貼付用粘着テープ又はシートに関する。
【背景技術】
【０００２】
二重マブタを形成するために、従来は整形外科手術を行う例があったが、近年ではテープをマブタの皮膚の上に貼る方法、両面テープでマブタの皮膚を二重マブタになるように接着する方法、エマルジョンやラテックスなどを用いてマブタの皮膚を二重マブタにするように接着する方法なども一般的に行われている。
【０００３】
テープをマブタの皮膚の上に貼る例として、人の目の上マブタにセロハンフィルムなどからなる横長のテープを貼着し、マブタの上下動により二重マブタを形成させることが一般に行われている。この方法では、テープを剥離紙から剥がす際に、指がテープの粘着面に触れてしまうという問題があり、あるいはピンセットを用いて剥がす際に細かい作業を強いられるため操作が容易でなく、テープに傷がついてきれいに剥がすことができないという問題もあった。またセロハンフィルムなどの材質からなるテープでは、貼った際に目立つなどの問題もあった。上述の方法では、このように煩雑、容易でない、時間を要するなどの問題があった。
【０００４】
上記問題を解決する為に各種検討がなされ、例えば剥離紙を半分くらい残して貼合わせを行う方法が開示されたが（特許文献１）、テープの片方を手で持つ為、テープがカールした場合の操作や、微妙な位置決めをするなどの操作が容易でない。また、二重マブタ形成シートの位置決めのための接着部を設けたものが開示されたが（特許文献２）、位置決め部分を目の中心部へ貼付するには、鏡を見ながら慎重に行う必要があり、マブタの形状に沿って貼る為、煩雑な操作が要求され容易ではない。弾性的に伸縮し、あるいは延伸可能な伸縮性を有する細いテープ状部材からなる二重マブタ形成用テープは、粘着テープ又は糸をマブタに貼付後に適当な長さに切断する必要があるなどの改善すべき問題点がある（特許文献３）。
【特許文献１】特開平１０−３０４９３５号公開公報
【特許文献２】特開２００３−１０２５４６号公開公報
【特許文献３】特許第３２７７１８０号公報
【発明の開示】
【発明が解決しようとする課題】
【０００５】
本発明は、マブタ用テープである皮膚貼付材から台紙を剥がす際に細かい作業を必要とせず、不用意に台紙を折り曲げたり破ることなく綺麗に剥がせ、皮膚貼付材を  マブタに貼付する場合も簡単且つ短時間に行い得るマブタ貼付用粘着テープ又はシートを提供することを課題とする。
【課題を解決するための手段】
【０００６】
本発明者らは、鋭意研究を重ねた結果、皮膚貼付材の大きさと台紙の大きさを工夫することで、台紙を皮膚貼付材から容易に剥がすことができ、簡単且つ短時間に皮膚貼付材をマブタに貼付しうるマブタ貼付用粘着テープ又はシートを提供しうることを見出し、本発明を完成した。
【０００７】
すなわち本発明は以下からなる。
１．離型処理された台紙(1)に、両面粘着性の皮膚貼付材(2)の片面の粘着剤露出部分が積層貼り合わされ、前記積層された皮膚貼付材(2)の上部に片面粘着性の台紙(3)が積層されており、該台紙(1)及び該台紙(3)が、皮膚貼付材(2)より長い形状であることを特徴とするマブタ貼付用粘着テープ又はシート。
２．前記台紙(1)が、前記台紙(3)より長い形状である前項１に記載のマブタ貼付用粘着テープ又はシート。
３．前記皮膚貼付材(2)と片面粘着性の台紙(3)の間に離型処理部材(7)が積層されている前項１又は２に記載のマブタ貼付用粘着テープ又はシート。
４．前記台紙(1)、皮膚貼付材(2)及び台紙(3)が打ち抜き加工され、少なくとも該台紙(1)の端部が打ち抜かれていないことを特徴とする前項１〜３のいずれか一に記載のマブタ貼付用粘着テープ又はシート。
【発明の効果】
【０００８】
本発明のマブタ貼付用粘着テープ又はシートは、包装部材から取り出しやすく、皮膚貼付材から台紙を剥がしやすく、かつ皮膚貼付材は皮膚に貼りやすく、該皮膚貼付材を装着したとき快適であり、目立ちにくいという効果が得られた。
【発明を実施するための最良の形態】
【０００９】
以下に本発明の実施形態を、添付図面を参照しながら説明する。なお、図中、同一符号は同一又は対応する部分を示すものとする。
本発明のマブタ貼付用粘着テープ又はシートは、図１に示すように、台紙(1)、両面粘着性の皮膚貼付材(2)及び台紙(3)の少なくとも３種の部材より構成され、台紙(1)、皮膚貼付材(2)及び台紙(3)が直接又は間接的に積層されてなる構造よりなる。皮膚貼付材(2)は、粘着剤層(4)、基材(5)及び粘着剤層(6)が積層されてなる。本発明のマブタ貼付用粘着テープ又はシートは打ち抜き加工されており、皮膚貼付材(2)はマブタに貼付するのに適当な大きさに切断されている。
【００１０】
本発明のマブタ貼付用粘着テープ又はシートから、皮膚貼付材(2)をマブタに貼付する方法は、次のとおりである。
まず、図３の上からの図に示す打ち抜き加工されたマブタ貼付用粘着テープ又はシートを、一つ分離する。該分離したマブタ貼付用粘着テープ又はシートから台紙(1)を剥がして、皮膚貼付材(2)の片面の粘着剤層(4)を露出させる。皮膚貼付材(2)に台紙(3)が積層されているものを、皮膚貼付材(2)の粘着面に手が触れないように、台紙(3)の両端を手で持ち、皮膚貼付材(2)の露出した粘着面をマブタの中央付近に貼付する。皮膚貼付材(2)を貼付することによって二重マブタが形成できるのであれば、厳密にマブタの中央に貼付しなくても良い。前記皮膚貼付材(2)が十分に貼付された状態にするために、必要に応じて指の腹又は治具などを用いてもよい。皮膚貼付材(2)がマブタに十分に貼付された状態になったら、台紙(3)の片方の端をもって皮膚貼付材(2)から剥離する。
【００１１】
本発明のマブタ貼付用粘着テープ又はシートの構造は次のとおりである。
台紙(1)は離型処置されており、該離型処理されている面と、前記皮膚貼付材(2)の片面の粘着剤露出部分が積層貼り合わされている。該積層貼り合わされている上に、更に台紙(3)が該皮膚貼付材(2)の他の片面の粘着剤露出部分(6)と直接的又は間接的に積層されている（図１、図２）。皮膚貼付材(2)及び台紙(3)の間に、例えば離型処理された部材(7)が積層されていても良い（図２）。台紙(3)の皮膚貼付材(2)に直接的又は間接的に積層される面には、粘着剤が塗布されていても良い。
【００１２】
図３に示す長さ方向に関し、台紙(1)及び(3)は、皮膚貼付材(2)よりも長い形状からなることを特徴とする（図１、図２）。台紙(1)及び(3)の長さは、皮膚貼付材(2)よりも長ければ、同じ長さであっても良いが、台紙(1)を皮膚貼付材(2)と台紙(3)から剥がすことを考慮すると、台紙(1)と(3)の長さが異なる方が好ましく、さらに台紙(1)が(3)より長い方が好適である。
台紙(3)の長さは、皮膚貼付材(2)より長ければ良く特に限定されないが、台紙(1)を剥がした後に台紙(3)の両端をもって皮膚貼付材(2)をマブタに貼付する際に、台紙(3)と皮膚貼付材(2)の長さの差が殆ど無い場合は、皮膚貼付材(2)の皮膚に貼付する側の粘着面に指面が接触し、その部分のマブタへの接着性が低下する。よって、皮膚貼付材(2)と台紙(3)の長さの差は、両端に指一本分以上あることが好ましく、指二本分以上であるのがより好適である。
【００１３】
図３に示す幅方向に関し、皮膚貼付材(2)の幅は、広い方が皮膚への接着性は高く二重マブタを形成しやすいが、広い幅のものでは貼付したことが見た目で判るので、目立たないためには可能な限り狭い方が良い。このような観点から、皮膚貼付材(2)の幅は、好ましくは10mm以下であり、より好ましくは2mm以下である。長さも長い方が皮膚への接着性が高く二重マブタが形成されやすいが、同様に長い幅であると貼付していることが判るので、目立たないためにはできる限り短い方が好ましい。このような観点から、皮膚貼付材(2)の長さは50mm以下であり、好ましくは35mm以下である。皮膚貼付材(2)の形状は、マブタの形状にあわせて湾曲したものでもよいが、上記寸法の大きさであれば、長方形であっても、十分マブタに貼付することができる。
【００１４】
上記の大きさの皮膚貼付材(2)を含むマブタ貼付用粘着テープ又はシートを作成するために、前記積層された台紙(1)、皮膚貼付材(2)及び台紙(3)を含むシートは打ち抜き加工される。例えば、図３の左図に示すように、積層したシートを幅が10mm以下、より好ましくは2mm以下の一定の幅となるように積層面に対して打ち抜き加工することができる。
【００１５】
該打ち抜き加工により、少なくとも積層された皮膚貼付材(2)及び台紙(3)が打ち抜かれていることを特徴とする。また台紙(1)は、打ち抜かれている方が使用の際に便利である。
しかし、台紙(1)、皮膚貼付材(2)及び台紙(3)のすべてが打ち抜かれていると、個々のマブタ貼付用粘着テープ又はシートがバラバラに分散してしまうため、保存に不便であり、また使用時に取り出す際にも不都合である。
例えば、台紙(1)の長さが台紙(3)の長さよりも長い場合に、台紙(3)の端が打ち抜かれていないと、使用する際に個々のマブタ貼付用粘着テープ又はシートが分割されないので不便である。例えば、台紙(3)は皮膚貼付材(2)と共に打ち抜かれており、台紙(1)の端が打ち抜かれていなければ、個々のマブタ貼付用粘着テープ又はシートがバラバラに分散せず、使用の際に必要な数だけ貼付用粘着テープ又はシートを分離することができるので好適である。例えば、台紙(1)及び／又は(3)の端の打ち抜かれていない部分に、ミシン目などを施して、容易に切断できるような形状にしても良い。
打ち抜かれた台紙の端の打ち抜かれていない部分及びミシン目の寸法は、操作可能な寸法であれば、特に制限されることはない。
【００１６】
本発明のマブタ貼付用粘着テープ又はシートは、上述の特徴を有する形状により、台紙(1)をマブタ用の皮膚貼付材(2)と台紙(3)から剥がすのに細かい作業を必要とせず、さらに不用意に折り曲げたり破ることなく綺麗に剥がせ、皮膚貼付材(2)を容易にマブタに貼付することができ、台紙(3)も容易に綺麗に剥がすことができる。
【００１７】
本発明のマブタ貼付用粘着テープ又はシートの材質は以下のとおりである。
まず、両面粘着性を有する皮膚貼付材(2)の基材(5)は、伸縮性を有するが、延伸後に弾性的な伸縮性を有しないもの、伸縮性を有するが、延伸して使用しないものを使用することができる。例えば、パルプなどを用いた紙、伸縮性の無い不織布などを好適に使用することができる。その他、絹、木綿など伸縮性を発現するように編んだもの、シリコーン、セロハンなども使用することができる。
【００１８】
皮膚貼付材(2)の粘着層(4)及び(6)は、ゴム系、合成ゴム系、アクリル系、シリコーン系などを使用することができ、特に限定されないが、接着特性が比較的制御しやすく、透湿性の付与が比較的容易にできるアクリル系が好適である。さらに肌に優しい粘着剤として、特許２５３９３３０号公報（特願平０５−１３３９９４号）又は特開２００２−０６５８４１号公報（特願２０００−２６５３６５号）に開示する医療用粘着剤又は皮膚貼付用粘着剤組成物等を使用することもできる。
粘着剤層(4)及び(6)の粘着度は、使用の態様に応じて調整したものを使用することができる。例えば、使用時に皮膚貼付材(2)と台紙(3)から台紙(1)を分離するため、粘着剤層(6)の粘着度は、粘着剤層(4)の粘着度よりも大きい事が好適である。
【００１９】
台紙(1)については、離型処理を施した紙又はＰＥＴ、或いは低接着性を発現するポリオレフィン系、これらをラミネート処理した紙などであれば良く、特に限定する必要はない。離型処理は、公知の方法を採用することができる。
【００２０】
台紙(3)については、当該部分を用いて皮膚貼付材(2)をマブタに貼付するため、適当な引張強度を有することが必要とされる。具体的には、引張強度が3.0N/20mm以上で、伸びが30％以下であればよく、特に限定されないが、5.0N/20mm以上の引張強度を有することが好適である。
台紙(3)は、皮膚貼付材(2)に貼りあわせて積層することが好ましいが、その場合には台紙(3)の皮膚貼付材(2)の粘着面と接触する部分に離型処理を行うことが必要である。あるいは、台紙(3)と皮膚貼付材(2)の間に離型処理された部材(7)を積層することもできる（図２）。該離型処理された部材(7)は、皮膚貼付材(2)と接触する側の面に離型処理を施した紙類又はオレフィン系、ポリエステル系の高分子材料を好適に使用することができ、表面エネルギーの低いオレフィン系などを用いて離型機能を発現させることもできる。その場合、該離型処理された部材(7)と台紙(3)との接着面の接着性を考慮する必要がある。接着性は、コロナ処理などの一般的な方法で調整することができる。
【００２１】
本明細書では、台紙(3)の引張強度は、幅20mm×長さ150mmに切り出し、100mmの標線を入れたものを試料とし、該試料を引張速度300mm/分で引張ったときの、破断時の引張強度を測定して得た。
【実施例】
【００２２】
皮膚貼付材(2)、台紙(1)及び(3)の各部材の長さ、及び切断幅、台紙(1)及び(3)の端の切断状態を表１に示した。
切断状態は、両端（台紙(1)及び(3)の両端部を残して皮膚貼付材(2)、台紙(1)及び(3)を打ち抜いたもの）、片端（台紙(1)及び(3)の片端部を残して皮膚貼付材(2)、台紙(1)及び(3)を打ち抜いたもの）、全て切断（台紙(1)、皮膚貼付材(2)、及び台紙(3)を打ち抜いてバラバラにしたもの）に分類した。
【００２３】
実施例では皮膚貼付材(2)に使用する粘着剤は、同一のアクリル系の粘着剤を用い、乾燥後の塗布厚も80μmに統一した。
各実施例又は比較例の形状のマブタ貼付用粘着テープ又はシートについて、取り出し時の操作性、貼付時の操作性、装着感、貼付時の認知度について評価した。
取り出し時の操作性は、使用するマブタ貼付用粘着テープ又はシートの取り出す際の操作性をいい、貼付時の操作性は、皮膚貼付材(2)をマブタに貼付する際の操作性をいい、装着感は、皮膚貼付材(2)を貼付した時の快適さをいい、及び貼付時の認知度は、皮膚貼付材(2)をマブタに貼付した場合に目立つかどうかをいう。評価点は表２〜５に示した。
【表１】
2007097661.tif 000003
【００２４】
実施例１〜３、及び比較例１〜３の形状からなるテープ又はシートを用いて、年齢層３０代以上のボランティア２０人の膝関節に皮膚貼付材(2)を貼付し、下記の基準によって貼付性評価を行った。
【００２５】
（取り出し時の操作性）
取り出す時の操作性については、「取り出し易い」「問題なし」「取り出し難い」「非常に取り出し難い」の４段階で評価し、相当する人数の結果を表２に示した。上記段階のうち、「取り出し易い」「問題なし」を操作性が良好であるのに有効であるとし、有効率を表２に併記した。
【表２】
2007097661.tif 000004
【００２６】
（貼付時の操作性）
操作性については、「貼り易い」「問題なし」「貼り難い」「非常に貼り難い」の４段階で評価し、相当する人数の結果を表３に示した。上記段階のうち、「貼り易い」「問題なし」を操作性が良好であるのに有効であるとし、有効率を表３に併記した。
【表３】
2007097661.tif 000005
【００２７】
（装着感）
装着感については、「非常に快適」「問題なし」「不快に感じる」「非常に不快」の４段階で評価し、相当する人数の結果を表４に示した。上記段階のうち、「非常に快適」「問題なし」を装着感が良好であるのに有効であるとし、有効率を表４に併記した。
【表４】
2007097661.tif 000006
【００２８】
（装着時の認知度）
装着時の認知度については、「目立たない」「問題なし」「目立つ」「非常に目立つ」の４段階で評価し、相当する人数の結果を表５に示した。上記段階のうち、「目立たない」「問題なし」を装着時の認知度が良好であるのに有効であるとし、有効率を表５に併記した。
【表５】
2007097661.tif 000007
【産業上の利用可能性】
【００２９】
以上説明したように、本発明のマブタ貼付用粘着テープは、包装部材から取り出しやすく、皮膚貼付材を台紙から剥がしやすく、かつ皮膚貼付材は貼りやすく、該皮膚貼付材を装着したとき快適であり、目立ちにくいという効果が得られ、二重マブタを容易に形成させることができる。
【図面の簡単な説明】
【００３０】
【図１】マブタ添付用粘着テープの断面図
【図２】マブタ添付用粘着テープの断面図（実施例）
【図３】マブタ添付用粘着シートの上からの図及び断面図（実施例）
【図４】マブタ添付用粘着テープ使用図
【符号の説明】
【００３１】
１  台紙
２  皮膚貼付材
３  台紙
４  粘着剤層
５  基材
６  粘着剤層
７  離型処理部材
Ａ  長さ方向
Ｂ  幅方向
Ｃ  打ち抜き（切断）部分
【図１】
2007097661.tif 000008
【図２】
2007097661.tif 000009
【図３】
2007097661.tif 000010
【図４】
2007097661.tif 000011